(57)【要約】【課題】焼き付き補正の精度を上げる。【解決手段】輝度劣化情報生成部２１１では、所定の経過時間ごとに、輝度測定部２１１１が画素回路６０９に複数レベルの駆動電流を供給し、各レベルの駆動電流に対する輝度値を測定する。変換効率算出部２１１３は、各レベルの駆動電流と輝度値との関係に基づき、画素回路６０９の変換効率値を算出する。変換効率劣化値算出部２１１５は、変換効率値と、補正の基準となる基準変換効率とから変換効率劣化値を算出し、輝度劣化情報保持部２１１６の輝度劣化情報を更新する。変換効率劣化補正パターン生成部２１２は、輝度劣化情報に基づき、焼き付き補正に用いる変換効率劣化補正パターンを生成する。【選択図】図６
2012141333.tif 000002
【特許請求の範囲】
【請求項１】
所定の更新時間ごとに、大きさの異なる複数レベルの駆動信号を出力して各レベルの駆動信号に応じた駆動電流値で所定の画素回路を駆動し、それぞれの駆動電流値で駆動されたときの前記所定の画素回路の輝度を測定する測定部と、
前記駆動信号のレベルに応じた駆動電流値と、前記所定の画素回路の輝度値との関係に基づいて前記所定の画素回路の変換効率値を算出する変換効率算出部と、
前記所定の画素回路の変換効率値を前記所定の画素回路が補正の基準状態にあるときの変換効率値と比較し、前記所定の画素回路が補正の基準状態にあったときからの経過時間に応じた変換効率劣化値を算出し、該変換効率劣化値によって前記所定の画素回路が補正の基準状態にあったときからの経過時間と該所定の画素回路の変換効率劣化値との関係を示した輝度劣化情報を更新する変換効率劣化値算出部と、
を有する信号処理装置。
【請求項２】
前記変換効率算出部は、前記測定部によって前記複数レベルの駆動信号から得られた前記所定の画素回路の駆動電流値と輝度値とに基づいて、前記駆動信号の異なるレベル間の駆動電流値の変化量と、該駆動電流値の変化量に対応する輝度値の変化量との関係から前記変換効率値を算出する、
請求項１記載の信号処理装置。
【請求項３】
予め生成された前記所定の画素回路に関する輝度劣化情報を保持する輝度劣化情報保持部を有し、
前記変換効率劣化値算出部は、算出した前記変換効率劣化値に基づいて、前記輝度劣化情報保持部に保持されている前記輝度劣化情報を該変換効率劣化値に合わせて補正し、前記輝度劣化情報を更新する、
請求項１記載の信号処理装置。
【請求項４】
任意の大きさの駆動信号で駆動させることができるダミー画素回路を有し、
前記測定部は、該ダミー画素回路を前記所定の画素回路として用いる、
請求項１記載の信号処理装置。
【請求項５】
所定の更新時間ごとに、大きさの異なる複数レベルの駆動信号を出力して各レベルの駆動信号に応じた駆動電流値で所定の画素回路を駆動し、それぞれの駆動電流値で駆動されたときの該画素回路の輝度を測定する手順と、
前記駆動信号のレベルに応じた駆動電流値と、前記所定の画素回路の輝度値との関係に基づいて前記所定の画素回路の変換効率値を算出する手順と、
前記所定の画素回路の変換効率値を前記所定の画素回路が補正の基準状態にあるときの変換効率値と比較し、前記所定の画素回路が補正の基準状態にあったときからの経過時間に応じた変換効率劣化値を算出し、該変換効率劣化値によって前記所定の画素回路が補正の基準状態にあったときからの経過時間と該所定の画素回路の変換効率劣化値との関係を示した輝度劣化情報を更新する手順と、
を有する信号処理方法。
【請求項６】
映像信号の階調値に応じて発光する発光素子を有する複数の画素回路と、
所定の更新時間ごとに、大きさの異なる複数レベルの駆動信号を出力して各レベルの駆動信号に応じた駆動電流値で所定の画素回路を駆動し、それぞれの駆動電流値で駆動されたときの該画素回路の輝度を測定する測定部と、
前記駆動信号のレベルに応じた駆動電流値と、前記所定の画素回路の輝度値との関係に基づいて前記所定の画素回路の変換効率値を算出する変換効率算出部と、
前記所定の画素回路の変換効率値を前記所定の画素回路が補正の基準状態にあるときの変換効率値と比較し、前記所定の画素回路が補正の基準状態にあったときからの経過時間に応じた変換効率劣化値を算出し、該変換効率劣化値によって前記所定の画素回路が補正の基準状態にあったときからの経過時間と該所定の画素回路の変換効率劣化値との関係を示した輝度劣化情報を更新する変換効率劣化値算出部と、
前記複数の画素回路それぞれについて、前記輝度劣化情報に基づいて該画素回路の変換効率劣化量を算出し、該画素回路の変換効率劣化量に応じて前記映像信号の階調値を補正する変換効率劣化補正パターンを生成し、前記画素回路ごとに生成した変換効率劣化補正パターンを用いて該画素回路に対する映像信号の階調値を補正し、該画素回路へ出力する補正演算部と、
を有する表示装置。
【請求項７】
映像信号の階調値に応じて発光する発光素子を有する複数の画素回路と、
所定の更新時間ごとに、大きさの異なる複数レベルの駆動信号を出力して各レベルの駆動信号に応じた駆動電流値で所定の画素回路を駆動し、それぞれの駆動電流値で駆動されたときの該画素回路の輝度を測定する測定部と、
前記駆動信号のレベルに応じた駆動電流値と、前記所定の画素回路の輝度値との関係に基づいて前記所定の画素回路の変換効率値を算出する変換効率算出部と、
前記所定の画素回路の変換効率値を前記所定の画素回路が補正の基準状態にあるときの変換効率値と比較し、前記所定の画素回路が補正の基準状態にあったときからの経過時間に応じた変換効率劣化値を算出し、該変換効率劣化値によって前記所定の画素回路が補正の基準状態にあったときからの経過時間と該所定の画素回路の変換効率劣化値との関係を示した輝度劣化情報を更新する変換効率劣化値算出部と、
前記複数の画素回路それぞれについて、前記輝度劣化情報に基づいて該画素回路の変換効率劣化量を算出し、該画素回路の変換効率劣化量に応じて前記映像信号の階調値を補正する変換効率劣化補正パターンを生成し、前記画素回路ごとに生成した変換効率劣化補正パターンを用いて該画素回路に対する映像信号の階調値を補正し、該画素回路へ出力する補正演算部と、
を有する電子機器。
【発明の詳細な説明】
【技術分野】
【０００１】
本発明は、発光素子を有する画素回路に駆動信号を出力する信号処理装置、信号処理方法、画素回路を有する表示装置及び電子機器に関する。
【背景技術】
【０００２】
表示装置には、複数の画素をマトリックス状に配置した画素部を有し、表示すべき画像情報に応じて画素部を制御することによって画像を表示するものがある。近年、この画素部に自発光素子である有機ＥＬ（Electroluminescence）素子を用いた表示装置が注目されている。このような表示装置では、有機ＥＬ素子を含む画素回路をマトリックス状に配置し、表示画面を構成する。しかし、この有機ＥＬ素子は表示対象となる画像データに応じて発光量を変えることにより階調を表現するため、有機ＥＬ素子の劣化の度合いが画素回路ごとに異なる。このため、時間の経過に応じて劣化の度合いが大きい画素と、劣化の度合いが少ない画素とが表示画面上に混在する。このとき、劣化の大きい画素が周辺の画素よりも暗くなることによって直前に表示されていた画像が残っているように見える現象（いわゆる、焼き付き）が生じる。
【０００３】
このような焼き付き現象を防止するため、未使用期間中に劣化の度合いの小さい発光素子の劣化を進行させて、劣化の度合いの大きい発光素子の劣化の度合いと均一にする表示装置が提案されている（例えば、特許文献１参照）。
【先行技術文献】
【特許文献】
【０００４】
【特許文献１】特開２００８−１７６２７４号公報
【発明の概要】
【発明が解決しようとする課題】
【０００５】
しかしながら、未使用期間中に劣化の度合いの小さい発光素子の劣化を進行させて、劣化の度合いの大きい発光素子の劣化の度合いと均一にする表示装置では、発光素子全体の劣化を進行させる恐れがある。また、表示装置の未使用期間に焼き付きの補正を行うため、表示装置の使用中には補正できないという問題点もある。そこで、表示装置の使用中に発光素子自体の劣化を考慮して、映像信号の階調値を変更することにより、焼き付きを補正する方法が考えられる。
【０００６】
例えば、映像信号を表示させる画素回路の劣化の度合いに合わせて映像信号の階調値を指定し、その変更した映像信号を用いて発光素子を発光させる方法が考えられる。例えば、予め一般的な画素回路の駆動時間と輝度の劣化の度合いとを対応付けた劣化情報を装置に内蔵しておき、駆動時間の経過に応じてその劣化情報に基づいて推定される各画素の輝度劣化量に合わせて映像信号の階調値を変更することが考えられる。しかし、画素の劣化は画素回路ごとに異なるとともに、画素回路に供給される映像信号も表示対象ごとに異なる。このため、一般的な劣化情報を用いて精度よく焼き付き補正を行うことは、容易ではなかった。
【０００７】
このような点に鑑み、精度の高い劣化情報を得ることによって、焼き付きを精度よく補正することが可能な信号処理装置、信号処理方法、表示装置及び電子機器を提供することを目的とする。
【課題を解決するための手段】
【０００８】
上記目的を解決するために、発光素子を有する画素回路に駆動信号を出力する信号処理装置が提供される。この信号処理装置は、測定部と、変換効率算出部と、変換効率劣化値算出部とを有する。測定部は、所定の更新時間ごとに、大きさの異なる複数レベルの駆動信号を出力して各レベルの駆動信号に応じた駆動電流値で所定の画素回路を駆動する。そして、それぞれの駆動電流値で駆動されたときの所定の画素回路の輝度を測定する。変換効率算出部は、駆動信号のレベルに応じた駆動電流値と、所定の画素回路の輝度値との関係に基づいて所定の画素回路の変換効率値を算出する。変換効率劣化値算出部は、所定の画素回路の変換効率値を所定の画素回路が補正の基準状態にあるときの変換効率値と比較し、所定の画素回路が補正の基準状態にあったときからの経過時間に応じた変換効率劣化値を算出する。そして、この変換効率劣化値によって所定の画素回路が補正の基準状態にあったときからの経過時間と所定の画素回路の変換効率劣化値との関係を示した輝度劣化情報を更新する。
【０００９】
このような信号処理装置によれば、測定部は、所定の更新時間ごとに、大きさの異なる複数レベルの駆動信号を出力し、各レベルの駆動信号に応じた駆動電流値で所定の画素回路を駆動する。そして、それぞれの駆動電流値で駆動された時の所定の画素回路の輝度を測定する。これにより、駆動信号のレベルに応じた駆動電流値と、そのときの輝度値という測定情報が得られる。変換効率値算出部は、駆動信号のレベルに応じた駆動電流値と、所定の画素回路の輝度値との関係に基づいて、所定の画素回路の変換効率値を算出する。変換効率値は、駆動電流値がどの程度の輝度に変換されるのかを示した値である。画素回路の劣化とともに変換効率値は下がっていく。ここでは、所定の更新時間ごとに、複数レベルの駆動信号で取得した測定値から所定の画素回路の変換効率値が得られる。これにより、変換効率成分を抽出し、正確な変換効率値を得ることができる。変換効率劣化値算出部は、所定の画素回路の変換効率値を所定の画素回路が補正の基準状態にあったときからの経過時間に応じた変換効率劣化値を算出する。そして、変換効率劣化値によって、所定の画素回路が補正の基準状態にあったときからの経過時間と、この所定の画素回路の変換効率劣化値との関係を示した輝度劣化情報を更新する。これにより、実際の測定値が考慮された輝度劣化情報が得られる。
【００１０】
また、上記課題を解決するために、上記の信号処理装置と同様の信号処理を行う信号処理方法、表示装置及び電子機器が提供される。
【発明の効果】
【００１１】
開示の信号処理装置、信号処理方法、表示装置及び電子機器によれば、実際の画素回路を用いて測定した測定情報に基づいて、画素回路の変換効率劣化に関する輝度劣化情報を生成する。このとき、複数レベルの駆動信号で測定した測定情報を用いて変換効率劣化を算出することから、正確な変換効率劣化値を得ることができる。また、正確な変換効率劣化値に基づいて焼き付き補正を行うことによって、焼き付き補正を精度よく行うことができる。
【図面の簡単な説明】
【００１２】
【図１】実施の形態の表示装置の構成例を示した概念図である。
【図２】画素回路の構成例を模式的に示す回路図である。
【図３】画素回路の経時輝度変化の一例を示した図である。
【図４】映像信号の階調値と輝度値との関係を示した図である。
【図５】焼き付き補正部のハードウェア構成の一例を示した図である。
【図６】焼き付き補正部の機能構成の一例を示した図である。
【図７】輝度劣化情報生成部による輝度劣化情報の生成例を示す図である。
【図８】測定情報に基づく画素特性の一例を示した図である。
【図９】輝度劣化情報に基づく輝度劣化曲線の一例を示した図である。
【図１０】変換効率劣化補正パターンの生成例を示す図である。
【図１１】輝度劣化情報生成処理の手順例を示すフローチャートである。
【図１２】実施の形態の表示装置を備えたテレビジョンセットを示す斜視図である。
【図１３】実施の形態の表示装置を備えたデジタルスチルカメラを示す斜視図である。
【図１４】実施の形態の表示装置を備えたノート型パーソナルコンピュータを示す斜視図である。
【図１５】実施の形態の表示装置を備えた携帯端末装置を示す模式図である。
【図１６】実施の形態の表示装置を備えたビデオカメラを示す斜視図である。
【発明を実施するための形態】
【００１３】
以下、本発明の実施の形態を図面を参照して説明する。
【００１４】
図１は、実施の形態の表示装置の構成例を示した概念図である。表示装置１００は、焼き付き補正部２００と、ライトスキャナ（ＷＳＣＮ；Write SCaNner）４１０、水平セレクタ（ＨＳＥＬ；Horizontal SELector）４２０、電源スキャナ（ＤＳＣＮ；Drive SCaNner）４３０及び画素アレイ部５００を有する。
【００１５】
画素アレイ部５００は、ｎ×ｍ（ｎ，ｍは２以上の整数）個の２次元マトリックス状に配列された画素回路６００〜６０８を有する。図１では、便宜上、１行目、２行目及びｍ行目における１列目、２列目及びｎ列目に配置された９個の画素回路６００〜６０８が示されている。画素回路６００〜６０８は、それぞれ走査線（ＷＳＬ；Write Scan Line）４１１を介してライトスキャナ（ＷＳＣＮ）４１０に接続する。また、データ線（ＤＴＬ；DaTa Line）４２１を介して水平セレクタ（ＨＳＥＬ）４２０、電源線（ＤＳＬ；Drive Scan Line）４３１を介して電源スキャナ（ＤＳＣＮ）４３０に接続する。図１では、便宜上、走査線（ＷＳＬ）４１１、データ線（ＤＴＬ）４２１、電源線（ＤＳＬ）４３１には、接続する画素回路の列番号（１，・・・，ｎ）または行番号（１，・・・，ｍ）が振られている。例えば、１行目、１列目に配置されている画素回路６００には、走査線ＷＳＬ１、データ線ＤＴＬ１及び電源線ＤＳＬ１が接続している。
【００１６】
焼き付き補正部２００は、映像信号の階調値を入力し、画素回路６００〜６０８のそれぞれの劣化の度合いに合わせて映像信号の階調値を変更することによって焼き付きを補正する信号処理回路である。また、信号処理装置として構成することもできる。ここで、映像信号の階調値とは、画素回路６００〜６０８が所定の輝度で発光するように駆動を指示する駆動信号であり、発光の輝度の大きさのレベル（段階）を指定する。例えば、発光の輝度の大きさを２５６段階（階調）で表現することができる。階調値の信号レベルが大きくなるほど、発光の輝度が大きくなる。ここで、画素回路６００が初期状態のときに発光の輝度が２００ｎｉｔとなる映像信号の階調値を「階調値２００」とする。所定の時間経過後では、画素回路６００の劣化により、「階調値２００」を出力しても発光の輝度が１００ｎｉｔしか得られなくなるとする。同様に、「階調値３００」のときの発光の輝度が初期状態の３００ｎｉｔから２００ｎｉｔに劣化したとする。この場合、焼き付き補正部２００は、「階調値２００」の初期状態の輝度（２００ｎｉｔ）を得るため、例えば、出力する映像信号の階調値を「階調値４００」に変更する。焼き付き補正部２００は、この変更した映像信号を、信号線２０９を介して水平セレクタ（ＨＳＥＬ）４２０に供給する。これにより、画素回路６００は、２００ｎｉｔの輝度で発光することになり、焼き付きを補正することができる。
【００１７】
ライトスキャナ（ＷＳＣＮ）４１０は、行単位により画素回路６００〜６０８を順次走査する線順次走査を行う。水平セレクタ（ＨＳＥＬ）４２０は、ライトスキャナ（ＷＳＣＮ）４１０による線順次走査に合わせて、画素回路６００〜６０８における発光輝度の大きさを設定するためのデータ信号を、各列の画素回路６００〜６０８に供給する。電源スキャナ（ＤＳＣＮ）４３０は、ライトスキャナ（ＷＳＣＮ）４１０による線順次走査に合わせて、画素回路６００〜６０８を駆動させるための電源信号を行単位に生成する。そして、画素回路６００〜６０８は、走査線（ＷＳＬ）４１１からの操作信号に基づいて、データ線（ＤＴＬ）４２１からの映像信号の電位を保持して、その保持した電位に応じて所定の期間発光する。
【００１８】
図２は、画素回路の構成例を模式的に示す回路図である。図２は、画素回路６００について示したが、他の画素回路も同様の構成である。
【００１９】
画素回路６００は、書込みトランジスタ６１０と、駆動トランジスタ６２０と、保持容量６３０と、発光素子６４０と、を有する。図２の例では、書込みトランジスタ６１０及び駆動トランジスタ６２０がそれぞれｎチャンネル型トランジスタである場合を想定している。なお、書込みトランジスタ６１０及び駆動トランジスタ６２０は、この組み合わせに限定されない。例えば、ｐチャンネル型トランジスタを適用することもできるし、トランジスタは、エンハンスメント型、デプレション型やデュアルゲート型であってもよい。
【００２０】
この画素回路６００において、書込みトランジスタ６１０のゲート端子及びドレイン端子には、走査線（ＷＳＬ）４１１及びデータ線（ＤＴＬ）４２１がそれぞれ接続されている。また、書込みトランジスタ６１０のソース端子には、駆動トランジスタ６２０のゲート端子（ｇ）及び保持容量６３０の一方の電極（一端）が接続されている。図２では、この接続電位を第１ノード（ＮＤ１）６５０とする。また、駆動トランジスタ６２０のドレイン端子（ｄ）には、電源線（ＤＳＬ）４３１が接続され、ソース端子（ｓ）には保持容量６３０の他方の電極（他端）及び発光素子６４０のアノード電極が接続されている。図２では、この接続電位を第２ノード（ＮＤ２）６６０とする。
【００２１】
書込みトランジスタ６１０は、走査線（ＷＳＬ）４１１からの走査信号に従って、データ線（ＤＴＬ）４３１からのデータ信号を第１ノード（ＮＤ１）６５０に供給するトランジスタである。この書込みトランジスタ６１０は、画素回路６００の駆動トランジスタ６２０の閾値のバラつきを取り除くために、データ信号の基準電位を保持容量６３０の一端に供給する。ここにいう基準電位とは、駆動トランジスタ６２０の閾値電圧に相当する電圧を保持容量６３０の保持させるための基準となる固定電位のことである。また、書込みトランジスタ６１０は、駆動トランジスタ６２０の閾値電圧に相当する電圧が保持容量６３０に保持された後に、データ信号の信号電位を保持容量６３０の一端に順次書き込む。
【００２２】
駆動トランジスタ６２０は、発光素子６４０を発光させるために、信号電位に応じて保持容量６３０に保持された信号電圧に基づいて、駆動電流を発光素子６４０に出力する。この駆動トランジスタ６２０は、駆動トランジスタ６２０を駆動させるための電源電位が電源線（ＤＳＬ）４３１から印加されている状態において、保持容量６３０に保持された信号電圧に応じた駆動電流を発光素子６４０に出力する。
【００２３】
保持容量６３０は、書込みトランジスタ６１０によって供給されたデータ信号に応じた電圧を保持する。すなわち、保持容量６３０は、書込みトランジスタ６１０によって書き込まれた信号電位に応じた信号電圧を保持する役割を果たす。
【００２４】
発光素子６４０は、駆動トランジスタ６２０から出力された駆動電流の大きさに応じて発光する。また、発光素子６４０は、出力端子がカソード線６８０に接続されている。このカソード線６８０からは、発光素子６４０の基準電位としてカソード電位（Ｖｃａｔ）が供給されている。この発光素子６４０は、例えば、有機ＥＬにより実現することができる。
【００２５】
なお、画素回路６００の構成は、図２に示した回路構成に限定されない。すなわち、駆動トランジスタ６２０及び発光素子６４０を含むものであれば、画素回路６００に適用できる。例えば、３つ以上のトランジスタで発光を制御するとしてもよい。
【００２６】
以上、説明したように、表示装置１００の画素回路６００は、データ線（ＤＴＬ）４２１を介して供給される信号電位に応じた駆動電流が発光素子６４０に供給されることにより、駆動電流に応じた輝度で発光する。したがって、画素回路６００を構成する駆動トランジスタ６２０や発光素子６４０等が劣化すると、駆動電流の量や発光の量の変化により、信号電位に対する輝度の値が初期の状態からズレてしまう。全ての画素回路において同じ量のズレが発生するのであれば、いわゆる焼き付き現象が生じることはない。しかしながら、有機ＥＬ素子は表示する画像データに応じて発光する量を変えることにより階調を表現するため、有機ＥＬ素子の劣化の度合いが表示画面の画素回路ごとに異なる。このため、劣化の大きい画素回路の表示が周辺の画素回路の表示より暗くなることによって、焼き付き現象が生じる。
【００２７】
図３は、画素回路の経時輝度変化の一例を示した図である。図３は、発光素子として有機ＥＬ素子を有する画素回路に対し、発光素子６４０を２００ｎｉｔの輝度で発光させる階調値を出力して駆動したときの経過時間に応じた輝度の変化を示している。図３の横軸は初期状態を起点として累積した経過時間を表わしている。図３の縦軸は、経過時間に応じた経時輝度を補正の基準の基準輝度「２００ｎｉｔ」に対する比で表わしている。ここで、初期状態は、対象の画素回路が補正の基準状態にある状態を指し、初期状態にあるときを経過時間「０」としている。経過時間が「０」の初期状態では、経時輝度の基準輝度に対する比は「１．０」、すなわち、経時輝度は２００ｎｉｔである。図３からは、画素回路の駆動時間が経過するに従って輝度が低下していることがわかる。例えば、４０００時間経過すると、画素回路に初期状態と同じ階調値を出力しても、得られる輝度は初期状態の「０．８」、すなわち１６０ｎｉｔになる。そこで、４０００時間経過後の画素回路で２００ｎｉｔの輝度を得るには、輝度劣化量に相当する補正量を映像信号の階調値に加える補正を行えばよい。これにより、この画素回路は、見かけ上、２００ｎｉｔで発光することになる。
【００２８】
図４は、映像信号の階調値と輝度値との関係を示した図である。図４の横軸は、焼き付き補正部２００に入力される映像信号の階調値、縦軸を画素回路６００〜６０８における発光の輝度の値（輝度値）をそれぞれ表わしている。また、画素特性曲線（初期）７１０は、初期状態の画素回路における入力された階調値と輝度値との関係を表わし、画素特性曲線（補正対象）７２０は、初期状態から時間が経過した画素回路における入力された階調値と輝度値との関係を表わしている。
【００２９】
ここで、画素特性曲線（初期）７１０について説明する。この画素特性曲線（初期）７１０は、例えば、次に示す二次関数により表現される。
Ｌ＝  Ａ×Ｓ2                                                ・・・（１）
【００３０】
ここで、Ｌは輝度値である。Ａは、発光素子６４０の変換効率に応じて定まる係数（効率計数）である。またＳ2は、駆動トランジスタ６２０の二乗特性を用いて算出した値であって、発光素子６４０に供給される駆動電流に相当する値である。このように、輝度値Ｌは、発光素子６４０の効率係数Ａと駆動電流Ｓ2によって算出することができる。
【００３１】
画素特性曲線（補正対象）７２０は、時間の経過によって発光素子６４０が劣化し、駆動電流を輝度に変換する変換効率に劣化が生じるため、画素特性曲線（初期）７１０よりも曲線の傾きが緩やかになっている。また、この画素特性曲線（補正対象）７２０は、画素特性曲線（初期）７１０と比較して、横軸方向に駆動電流量減少成分Ｄ１の分だけ右側へシフトしている。この駆動電流量減少成分Ｄ１は、駆動電流の減少した量（駆動電流減少量）を示す成分であり、駆動トランジスタ６２０及び発光素子６４０の劣化に起因して生じる。すなわち、式（１）で表わされる画素特性曲線（初期）７１０に対し、画素特性曲線（補正対象）７２０は、次に示す二次関数により表現される。
Ｌｄ＝  Ａｄ×（Ｓ−ΔＳ）2                                  ・・・（２）
【００３２】
ここで、Ｌｄは、補正対象となる画素回路の輝度値である。Ａｄは、補正対象となる画素回路の発光素子６４０の変換効率に応じて定まる係数（効率係数）である。また、ΔＳは、駆動電流量減少成分Ｄ１である。また（Ｓ−ΔＳ）2は、駆動電流量減少成分Ｄ１が考慮された発光素子６４０に供給される駆動電流を示す。このように、劣化した輝度値Ｌｄは、劣化した効率係数Ａｄと駆動電流量減少成分Ｄ１が考慮された駆動電流（Ｓ−ΔＳ）2によって算出することができる。
【００３３】
以上説明したように、表示装置１００の使用に伴って画素回路が劣化すると、変換効率劣化及び駆動電流の減少が生じることによって、映像信号の階調値に対する輝度値が低下する。なお、変換効率劣化は画素特性曲線の傾きの低下に相当し、駆動電流の減少は画素特性曲線の階調のシフトに相当する。
【００３４】
表示装置１００の焼き付き補正部２００では、補正の基準状態、例えば劣化が起きていない初期状態の画素特性曲線（初期）７１０を基準とし、劣化が起きた画素回路の画素特性曲線（補正対象）７２０がその基準（画素特性曲線７１０）と一致するように映像信号の階調値を補正する。詳細は後述するが、焼き付き補正部２００では、変換効率劣化を補正する変換効率劣化補正パターンと、駆動電流量の減少（電流劣化）を補正する電流劣化補正パターンとを用意し、劣化が起きた画素回路の映像信号の階調値を補正する。
【００３５】
ここで、変換効率劣化成分の補正について説明する。変換効率劣化成分の補正では、次の式に基づいて映像信号の階調を変更する。式（１），（２）に基づき、補正後の階調値Ｓｏｕｔは、次の式で求められる。
Ｓｏｕｔ＝（ΔＡ）-1/2×Ｓｉｎ                                ・・・（３）
ΔＡ＝Ａｄ／Ａ                                                ・・・（４）
【００３６】
ここで、Ｓｉｎは、焼き付き補正部２００により補正される前の映像信号の階調値である。また、ΔＡは、補正対象画素回路の効率係数Ａｄを分子とし、初期状態の画素回路の効率係数Ａを分母とした変換効率の比を表わす分数の値（変換効率劣化値）である。
【００３７】
ところで、初期状態の効率係数Ａは、素子の規格値や出荷時の測定などによって知ることができるが、動作中の画素回路の効率係数Ａｄは、実際に測定することができない。そこで、所定の階調値で連続動作する画素回路の初期状態からの経過時間と、変換効率劣化値との相関関係を予め輝度劣化情報として焼き付き部２００内に保持しておき、この輝度劣化情報に基づいて各画素回路の効率係数Ａｄを推定し、補正量を算出する。しかし、画素回路の劣化の度合いは、その動作環境等により異なることから、予め設定された一般的な輝度劣化情報では精度よく補正を行うことが難しい。そこで、実施の形態の表示装置１００の焼き付き補正部２００では、実際に画素回路の劣化度合いを測定し、測定結果に合わせて輝度劣化情報を更新する処理を行い、焼き付き補正の精度を上げる。
【００３８】
［焼き付き補正部の構成例］
まず、焼き付き補正部２００のハードウェア構成例を説明する。図５は、焼き付き補正部のハードウェア構成の一例を示した図である。
【００３９】
焼き付き補正部２００は、補正パターン生成部２１０、補正演算部２２０、補正パターン保持部２３０及びＤＲＡＭ（Dynamic Random Access Memory）２４０を有し、入力した映像信号の階調値を補正し、焼き付き補正映像データとして画素アレイ部５００に出力する。
【００４０】
補正パターン生成部２１０は、ＣＰＵ（Central Processing Unit）２１０ａによって、補正パターン生成処理を行う。ＣＰＵ２１０ａには、内部バスを介して、ＲＯＭ（Read Only Memory）２１０ｂ及びＲＡＭ（Random Access Memory）２１０ｃと、補正演算部２２０及び補正パターン保持部２３０等の周辺機器が接続されている。
【００４１】
ＲＡＭ２１０ｃには、ＣＰＵ２１０ａによる処理に必要な各種データが格納される。ＲＯＭ２１０ｂには、ＯＳのプログラム、アプリケーションプログラム、及び各種データが格納される。
【００４２】
補正演算部２２０は、映像信号の階調値を取得し、焼き付き補正処理を行う。処理を高速に行うため、ＡＳＩＣ（Application Specific Integrated Circuit）やＦＰＧＡ（Field Programmable Gate Array）などで構成される。
【００４３】
補正パターン保持部２３０は、補正パターン生成部２１０が生成した補正パターンを保持する記憶部である。例えば、フラッシュメモリなどの半導体記憶装置により構成される。
【００４４】
ＤＲＡＭ２４０は、補正演算部２２０が参照するための補正パターンを保持する記憶部である。例えば、ＤＤＲ  ＳＤＲＡＭ（Double-Data-Rate Synchronous DRAM）など、比較的高速処理が可能なメモリで構成される。
【００４５】
次に、焼き付き補正部２００の機能構成例を説明する。図６は、焼き付き補正部の機能構成の一例を示した図である。
【００４６】
焼き付き補正部２００は、輝度劣化情報生成部２１１、変換効率劣化補正パターン生成部２１２及び電流劣化補正パターン生成部２１３を有する補正パターン生成部２１０と、補正演算部２２０と、変換効率劣化補正パターン保持部２３１及び電流劣化補正パターン保持部２３２と、を有する。
【００４７】
輝度劣化情報生成部２１１は、輝度測定部２１１１、測定情報保持部２１１２、変換効率算出部２１１３、基準変換効率値供給部２１１４、変換効率劣化値算出部２１１５及び輝度劣化情報保持部２１１６を有し、画素回路６０９から得られる輝度値に基づいて、輝度劣化情報を更新する。
【００４８】
輝度測定部２１１１は、予め決められた画素回路６０９の輝度劣化情報を更新する更新周期に応じた所定の更新時間ごとに起動される。更新時間になると、輝度測定部２１１１は、表示装置１００の所定の画素回路６０９に、大きさの異なる複数レベルの駆動信号を出力し、それぞれのレベルの駆動信号における画素回路６０９の輝度を測定する。例えば、予め決められた複数レベルの階調値に対応する駆動信号を画素回路６０９に出力し、そのときの輝度を測定する。これにより、複数レベルの階調値について、階調値に応じた駆動電流と輝度値との組が測定データとして得られる。なお、このときの駆動電流値には、画素回路６０９の劣化による駆動電流の減少分は含まれていない。この階調値を出力したときに、補正の基準状態の画素回路６０９に流れると想定される駆動電流に相当する。また、駆動電流値の代わりに、階調値と輝度値とを対応付けた測定データを取得するとしてもよい。この輝度劣化情報の更新周期は、任意の時間を設定することができる。例えば、画素回路６０９の劣化はゆっくり進行するので、焼き付き補正部２００にかかる負担を軽減するため、変換効率劣化補正パターンの生成処理等と比較して長い時間に設定することができる。対象となる画素回路６０９は、画素アレイ部５００に含まれる画素回路であるが、表示画面には含まれないダミー画素回路を用いる。ダミー画素回路を用いることにより、表示装置１００が稼働中であっても、表示画面に影響することなく、測定処理を行うことができる。なお、出荷前の検査や調整などには、表示画面を構成する画素を対象画素として画素回路ごとの特性を取得できるようにしてもよい。輝度測定部２１１１では、予め複数レベルの駆動信号、例えば、複数レベルの階調値を決めておき、輝度劣化情報の更新時間には、指定された階調値を順次画素回路６０９に出力し、そのときの輝度値を測定する。測定した輝度値は、駆動電流値または階調値に関連付けて測定情報保持部２１１２に供給する。なお、測定処理期間以外の期間には、画素回路６０９に予め決められた階調値を継続的に出力しておく。例えば、２００ｎｉｔの輝度劣化情報を求める場合には、測定期間を除き、画素回路６０９を２００ｎｉｔに対応する階調値で発光させておく。これにより、画素回路６０９を用いて２００ｎｉｔの輝度劣化情報を得ることができる。
【００４９】
測定情報保持部２１１２は、輝度測定部２１１１から供給された画素回路６０９に出力した駆動電流値または階調値と、そのときの駆動電流値または階調値における発光素子６４０の輝度の測定値（輝度値）とを測定情報として保持する。以下の説明では、複数レベルの駆動電流値と輝度値との組を測定情報とする。測定情報保持部２１１２は、保持している測定情報を変換効率算出部２１１３に供給する。
【００５０】
変換効率算出部２１１３は、輝度測定部２１１１が複数レベルの階調値または駆動電流値で測定した輝度値に基づき、画素回路６０９の効率係数を変換効率値として算出する。式（２）に示したように、劣化した画素回路の効率係数Ａｄは、画素回路の輝度値Ｌｄと、駆動電流量減少成分Ｄ１が考慮された駆動電流（Ｓ−ΔＳ）2によって算出することができる。しかし、ここでは駆動電流量減少成分Ｄ１は測定することができない。このため、輝度測定部２１１１によって計測された輝度値に対応する駆動電流値は、予め決められた階調値に応じた駆動電流値、すなわち、駆動電流量減少成分が考慮されていない駆動電流値である。したがって、単純に測定された輝度値Ｌｄを分子とし、駆動電流値を分母として変換効率を算出しても、正確な効率係数Ａｄは得られない。そこで、複数レベルで測定された駆動電流値と、駆動電流に対応する輝度値とを用いて変換効率値を求める。例えば、異なるレベル間の駆動電流値の変化量と、これに対応する輝度値の変化量とに基づいて、駆動電流値の変化量に対する輝度値変化量の傾き（輝度値変化量／駆動電流値変化量）を算出する。こうして算出した変換効率値には、駆動電流量減少成分Ｄ１による影響が含まれておらず、精度の高い変換効率値を得ることができる。算出した変換効率値は、変換効率劣化値算出部２１１５に供給する。
【００５１】
基準変換効率値供給部２１１４は、変換効率劣化の補正の基準となる画素回路の変換効率値を変換効率劣化値算出部２１１５に供給する。例えば、劣化が起きていない初期状態の画素回路６０９の変換効率値を保持しておき、その保持している変換効率値を基準変換効率値として供給する。
【００５２】
変換効率劣化値算出部２１１５は、変換効率算出部２１１３から供給された測定時の画素回路６０９の変換効率値と、基準変換効率値供給部２１１４から供給された基準変換効率値とに基づいて変換効率劣化値を算出する。例えば、式（４）に基づき、変換効率劣化値（ΔＡ）を算出する。補正対象画素回路の変換効率値を分子とし、補正の基準状態の画素回路の変換効率値を分母とした変換効率の比を算出する。そして、算出した変換効率劣化値と、測定時の補正の基準状態からの経過時間とに基づいて、輝度劣化情報を更新する。輝度劣化情報は、所定の輝度における補正の基準状態からの経過時間と、変換効率劣化値との関係を表わすものである。例えば、輝度劣化情報の該当する経過時間に対応する変換効率劣化値を、今回算出した変換効率劣化値で置き換える。また、取得した変換効率劣化値に合わせて経過時間と変換効率劣化値との相関関係を表わす輝度劣化曲線を更新し、更新した輝度劣化曲線に合わせて輝度劣化情報を更新するとしてもよい。更新した輝度劣化情報は、輝度劣化情報保持部２１１６に供給する。
【００５３】
輝度劣化情報保持部２１１６は、変換効率劣化値算出部２１１５が更新した輝度劣化情報を保持する。輝度劣化情報は、例えば、所定の輝度における補正の基準状態からの経過時間と、その経過時間における変換効率劣化値とが対応付けられた表形式の輝度劣化情報として輝度劣化情報保持部２１１６に保持される。なお、輝度劣化情報の形式は、どのような形式であってもよい。また、輝度の劣化の度合いは、画素回路が発光している輝度によって異なるので、複数レベルの輝度に関する輝度劣化情報を用意するとしてもよい。あるいは、１つの輝度の輝度劣化情報をマスタ情報として保持しておき、他の輝度における変換効率劣化値は、このマスタ情報に基づいて算出するとしてもよい。輝度が異なっても、輝度の劣化の割合は同様であるため、１つの輝度についてマスタ情報を用意しておけば、他の輝度における変換効率劣化値を算出することができる。
【００５４】
このように、表示装置１００に実際に搭載される画素回路６０９の劣化を測定し、輝度劣化情報を生成することにより、表示装置１００の実際の状態を反映した輝度劣化情報を得ることができる。また、このような輝度劣化情報に基づく効率係数を用いた場合には、予め保持されている効率係数を用いる場合と比較して、変換効率の劣化を精度よく補正できる。
【００５５】
変換効率劣化補正パターン生成部２１２は、変換効率劣化を補正するためのパターン（変換効率劣化補正パターン）を生成する。変換効率劣化補正パターンとは、画素回路６００〜６０８のそれぞれに対する変換効率劣化の補正値（変換効率劣化値）により構成される補正パターンであり、変換効率劣化量を補正するための補正情報である。例えば、この変換効率劣化値は、図４に示した画素特性曲線（補正対象）７２０の画素特性曲線（初期）７１０に対する傾きの値となる。詳細は後述するが、変換効率劣化補正パターン生成部２１２では、画素アレイ部５００を構成する各画素回路の変換効率劣化情報を保持しておき、所定の周期ごとに各画素回路の変換効率劣化値を算出する。このとき、各画素回路の変換効率劣化値を算出するため、輝度劣化情報保持部２１１６に保持される画素回路６０９の輝度劣化情報を参照する。画素回路６０９は、表示用の画素回路６００〜６０８と同じ動作環境に置かれて動作している。このため、画素回路６０９が駆動を開始してからの経過時間と変換効率劣化値との関係と、画素回路６００〜６０８における経過時間と変換効率劣化値との関係には、相関関係があると見なせる。そこで、例えば、画素回路６００〜６０８の変換効率劣化値を、画素回路６０９を用いて測定した所定の階調値の輝度劣化情報に基づいて算出する。算出した各画素回路の変換効率劣化値は、変換効率劣化補正パターン保持部２３１に供給する。
【００５６】
電流劣化補正パターン生成部２１３は、駆動電流減少量を補正するためのパターン（電流劣化補正パターン）を生成する。電流劣化補正パターンとは、画素回路６０８〜６０９のそれぞれに対する駆動電流減少量の補正値（電流量劣化値）により構成される補正パターンであり、駆動電流減少量を補正するための補正情報である。例えば、この電流量劣化値は、初期状態の画素回路を補正の基準状態とする焼き付き補正部２００では、図４に示した駆動電流量減少成分Ｄ１の値となる。電流劣化補正パターン生成部２１３では、画素アレイ部５００を構成する各画素回路の電流量劣化情報を保持しておき、所定の周期ごとに各画素回路の駆動電流の新たな減少量を算出し、積算することによって電流量劣化情報を更新する。例えば、補正演算部２２０から供給された補正後の映像信号に基づいて、画素回路６００〜６０８の新たな減少量に関する情報を、減少量係数を用いて算出する。ここで、減少量係数とは、例えば、時間の経過に応じた駆動電流の減少量を求めるための係数で、予め保持しておく。また、輝度測定部２１１１が測定した測定情報に基づいて、適宜更新するとしてもよい。
【００５７】
変換効率劣化補正パターン保持部２３１及び電流劣化補正パターン保持部２３２は、補正パターン保持部２３０に含まれる。変換効率劣化補正パターン保持部２３１は、変換効率劣化補正パターン生成部２１２から供給された変換効率劣化値を画素回路ごとに保持する。以下の説明では、この各画素回路の変換効率劣化値により構成される変換効率劣化値群を変換効率劣化補正パターンとする。この変換効率劣化補正パターン保持部２３１は、保持している変換効率劣化補正パターンを補正演算部２２０に供給する。電流劣化補正パターン保持部２３２は、電流劣化補正パターン生成部２１３から供給された電流量劣化値を画素回路ごとに保持するものである。以下の説明では、この各画素回路の電流量劣化値により構成される電流量劣化値群を電流劣化補正パターンとする。この電流劣化補正パターン保持部２３２は、保持している電流劣化補正パターンを補正演算部２２０に供給する。
【００５８】
補正演算部２２０は、入力された映像信号を補正するものであり、補正された映像信号を変換効率劣化補正パターン生成部２１２及び電流劣化補正パターン生成部２１３と、信号線２０９を介して水平セレクタ（ＨＳＥＬ）４２０とに供給する。この補正演算部２２０は、変換効率劣化を補正する変換効率劣化補正演算処理と、電流劣化を補正する電流劣化補正演算処理とを行う。変換効率劣化補正演算処理では、変換効率劣化補正パターン保持部２３１から供給された変換効率劣化補正パターンに基づいて、入力された映像信号の階調値を変更することによって、変換効率劣化を補正する。変換効率劣化の補正が施された映像信号の階調値は、続いて電流劣化補正演算処理が施される。電流劣化補正演算処理では、電流劣化補正パターン保持部２３２から供給された電流劣化補正パターンに基づいて、変換効率劣化補正が施された映像信号の階調値を変更し、電流劣化を補正する。その補正した映像信号の階調値は、変換効率劣化補正パターン生成部２１２及び電流劣化補正パターン生成部２１３と、信号線２０９を介して水平セレクタ（ＨＳＥＬ）４２０とに供給する。
【００５９】
このように、輝度劣化情報生成部２１１を焼き付き補正部２００に設けることによって、画素回路６００〜６０８における輝度値の劣化を精度よく補正することができる。
【００６０】
次に、輝度劣化情報生成部２１１による輝度劣化情報の生成例について図面を参照して説明する。以下の説明では、補正の基準状態を初期状態とする。
【００６１】
［輝度劣化情報の生成例］
図７は、輝度劣化情報生成部による輝度劣化情報の生成例を示す図である。図７では、測定情報保持部２１１２に保持されている測定情報７３０に基づいて、輝度劣化情報保持部２１１６に輝度劣化情報（階調値２００）７４０が保持されるまでの流れを模式的に示したものである。ここでは、初期状態で２００ｎｉｔの輝度を得る階調値で画素回路６０９を駆動させたときの輝度劣化情報を生成する場合について説明する。以下の説明では、この階調値を「階調値２００」と表記する。なお、処理の開始前までに、補正の基準となる初期状態における変換効率値が、基準変換効率値供給部２１１４に供給される。そして、画素回路６０９に対し「階調値２００」を出力する。所定の周期ごとに到来する輝度測定の期間を除き、画素回路６０９には、この「階調値２００」が出力される。これにより、「階調値２００」における画素回路６０９の劣化度合いを測定することができる。
【００６２】
測定情報保持部２１１２には、初期状態からｔ時間（ｔは任意の正の値）経過したとき、輝度測定部２１１１が測定した複数レベルの駆動電流と、その駆動電流を画素回路６０９へ出力したときの輝度値と、が対応付けて保持されている。輝度測定部２１１１では、駆動電流をＩ１，Ｉ２，・・・，Ｉｎとｎ段階に変化させて輝度値を測定し、測定情報（ｔ）７３０として測定情報保持部２１１２に供給する。例えば、駆動電流Ｉ１のとき輝度値Ｌ１、駆動電流Ｉ２のとき輝度値Ｌ２、駆動電流Ｉｎのとき輝度値Ｌｎが測定されている。
【００６３】
変換効率算出部２１１３では、測定情報保持部２１１２から測定情報（ｔ）７３０を読み出し、初期状態からｔ時間経過したときの画素回路６０９の変換効率値を算出する。例えば、レベル間の駆動電流の変化量に対する輝度値の変化量の傾きを算出し、変換効率値を求める。算出した変換効率値は、変換効率劣化値算出部２１１５に供給する。
【００６４】
変換効率劣化値算出部２１１５は、変換効率算出部２１１３から供給された初期状態からｔ時間経過したときの変換効率値と、基準変換効率値供給部２１１４から供給された初期状態の基準変換効率値と、から変換効率劣化値を算出する。例えば、式（４）を用いて変換効率劣化値を求める。そして、算出した変換効率劣化値を用いて、輝度劣化情報保持部２１１６が保持する輝度劣化情報（階調値２００）７４０を更新する。最も簡単な更新方法によれば、初期状態からｔ時間経過した時間が「１００」で、算出された変換効率劣化値が「０．９９」であったとき、輝度劣化情報（階調値２００）７４０の該当する経過時間「１００」に対応する変換効率劣化値「０．９９」に置き換える。
【００６５】
こうして、輝度劣化情報が実際の測定値に合わせて更新される。
【００６６】
ここで、測定情報について説明する。図８は、測定情報に基づく画素特性の一例を示した図である。図８の横軸は、輝度測定部２１１１が出力した階調値に対応する駆動電流の大きさ、縦軸は輝度測定部２１１１が測定した発光の輝度の値（輝度値）をそれぞれ表わしている。
【００６７】
図８の例では、それぞれ駆動電流Ｉ１，Ｉ２，・・・，Ｉｎに対応する輝度値Ｌ１，Ｌ２，・・・，Ｌｎがプロットされている。画素特性７３１は、プロットされた測定データを結んだものであり、初期状態からｔ時間が経過したときの画素回路６０９における入力階調値（駆動電流）と輝度値との関係を表わしている。式（２）からも明らかなように、輝度値Ｌ１，Ｌ２，・・・，Ｌｎで発光させたときの駆動電流Ｉ１，Ｉ２，・・・，Ｉｎには、駆動電流量減少成分Ｄ１が共通に含まれている。そこで、駆動電流値の変化に対する輝度値の変化をプロットした画素特性７３１の傾きを算出することにより、駆動電流減少成分Ｄ１を除いた正確な変換効率値を算出することができる。
【００６８】
なお、画素特性７３１から駆動電流量減少成分Ｄ１を求め、電流劣化補正パターン生成部２１３の減少量係数の算出に用いるとしてもよい。
【００６９】
次に、輝度劣化情報について説明する。図９は、輝度劣化情報に基づく輝度劣化曲線の一例を示した図である。図９の横軸は、画素回路６０９を駆動したときの初期状態からの経過時間、縦軸は変換効率劣化値算出部２１１５が算出した変換効率劣化をそれぞれ表わしている。
【００７０】
輝度劣化曲線（階調値１００）７５１は、画素回路６０９を階調値１００で駆動させたときの経過時間と、変換効率劣化との関係を表わしている。階調値１００とは、初期状態において画素回路６０９を１００ｎｉｔで発光させる階調値である。
【００７１】
輝度劣化曲線（階調値２００）７５２は、画素回路６０９を階調値２００で駆動させたときの経過時間と、変換効率劣化との関係を表わしている。階調値２００とは、初期状態において画素回路６０９を２００ｎｉｔで発光させる階調値である。
【００７２】
輝度劣化曲線（階調値４００）７５３は、画素回路６０９を階調値４００で駆動させたときの経過時間と、変換効率劣化との関係を表わしている。階調値４００とは、初期状態において画素回路６０９を４００ｎｉｔで発光させる階調値である。
【００７３】
例えば、図７に示した輝度劣化情報の生成処理で説明したように、階調値２００について輝度劣化情報を生成する場合、変換効率劣化値算出部２１１５によって、経過時間ｔ１，ｔ２，・・・において変換効率劣化値が算出される。この変換効率劣化値は、図７に示した生成処理手順によって、画素回路６０９において実測された測定データに基づくものである。このため、経過時間ｔ１，ｔ２，・・・において算出した変換効率劣化値を用いて輝度劣化曲線（階調値２００）７５２を補正すれば、実際の表示装置１００の動作状態に合った正確な輝度劣化曲線を得ることができる。
【００７４】
なお、輝度劣化曲線（階調値１００）７５１、輝度劣化曲線（階調値２００）７５２、輝度劣化曲線（階調値４００）７５３には、相関関係がある。例えば、「階調値２００」において変換効率劣化値が所定の割合（例えば、１０パーセント）劣化するのに要する時間と、「階調値１００」において１０パーセント変換効率劣化値が同様に所定の割合劣化するのに要する時間と、には比例関係がある。輝度劣化情報保持部２１１６に、例えば、輝度劣化曲線（階調値２００）７５２を保持しておけば、他の輝度劣化曲線の変換効率劣化値を算出することができる。
【００７５】
次に、輝度劣化情報保持部２１１６が保持する輝度劣化情報に基づいて、変換効率劣化補正パターン生成部２１２が行う変換効率劣化補正パターンの生成例について説明する。
【００７６】
［変換効率劣化補正パターンの生成例］
図１０は、変換効率劣化補正パターンの生成例を示す図である。図１０では、輝度劣化情報保持部２１１６が保持する輝度劣化情報７４０に基づく輝度劣化曲線（階調値２００）７５２を用いて、変換効率劣化補正パターン保持部２３１の変換効率劣化補正パターン（ｎ）７７０が生成されるまでの流れを模式的に説明している。なお、便宜上、表示装置１００に備えられている画素回路を１〜ｍにより識別する。ここで、変換効率劣化補正パターンは、補正演算部２２０が映像信号の処理周期と同じ周期、またはそれよりも長い周期で生成することができる。これは、輝度が画素回路ごとにバラついたとしても、劣化はゆっくり進行するためである。例えば、変換効率劣化補正パターンを１時間間隔で更新することにより、焼き付き補正部２００の演算量を軽減することができる。しかし、以下では、補正された映像信号が画素回路に出力されるごとに変換効率劣化補正パターンを更新する場合について説明する。
【００７７】
輝度劣化情報保持部２１１６には、輝度劣化曲線（階調値２００）７５２を表わす輝度劣化情報（階調値２００）７４０が保持されている。輝度劣化情報（階調値２００）７４０には、測定対象の画素回路６０９を階調値２００で駆動させた場合における初期状態からの経過時間に対応付けて変換効率劣化値が保持されている。
【００７８】
変換効率劣化補正パターン生成部２１２は、変換効率劣化情報更新部２１２１、変換効率劣化情報保持部２１２２及び変換効率劣化値算出部２１２３を有する。ここでは、補正演算部２２０によって補正された映像信号を１分間隔で取得することによって、変換効率劣化補正パターンを更新するものとする。
【００７９】
変換効率劣化情報更新部２１２１は、変換効率劣化情報保持部２１２２に保持されている変換効率劣化情報を、画素回路１〜ｍの変換効率の新たな劣化量を加算することによって更新する。ここで、変換効率劣化情報とは、例えば、画素１〜ｍの変換効率劣化の量を、特定の階調値における発光時間に換算した値である。換算した値は、特定の階調値で画素を発光させたときにこの変換効率の劣化の量と同等の劣化が生じるまでにかかる発光時間に相当する。変換効率劣化情報更新部２１２１は、例えば、補正演算部２２０から供給された補正後の映像信号に基づいて、画素回路１〜ｍの変換効率の新たな劣化に関する情報を、効率劣化換算係数を用いて算出する。ここで、効率劣化換算係数とは、例えば、時間の経過に応じた発光素子６４０の変換効率の劣化量を、発光時間及び発光時における階調に基づいて算出するための係数である。この効率劣化換算係数は、輝度劣化情報保持部２１１６が保持する輝度劣化情報（階調値２００）に基づいて算出することができる。そして、補正後の映像信号の階調値と、変換効率劣化情報（ｎ−１）７６０に設定されるこの画素回路の劣化量を特定の階調値（階調値２００）の発光時間に換算した変換効率の劣化量と、に基づき、効率劣化換算係数を用いて画素回路１〜ｍの変換効率劣化値を得ることができる。例えば、変換効率劣化情報（ｎ−１）７６０に設定される発光時間を輝度劣化曲線（階調値２００）７５２の経過時間を起点とし、そこから劣化量算出時までの経過時間と、その間に出力された階調値とに基づき、この期間の劣化量を算出する。変換効率劣化情報更新部２１２１は、算出した画素回路１〜ｍの新たな劣化量を、変換効率劣化情報保持部２１２２に保持される変換効率劣化情報（ｎ−１）７６０の該当する画素番号の劣化情報の値に加算し、変換効率劣化情報（ｎ−１）７６０を更新する。
【００８０】
変換効率劣化情報保持部２１２２は、変換効率劣化情報更新部２１２１が供給する画素回路１〜ｍの輝度の変換効率の劣化に関する変換効率劣化情報を画素回路ごとに保持する。
【００８１】
図１０の変換効率劣化情報（ｎ−１）７６０には、ｎ−１回目の更新時間の表示に基づく変換効率劣化値が保持されている。この変換効率劣化情報（ｎ−１）７６０は、今回（ｎ回目）の更新時間の表示を補正する変換効率劣化補正パターン（ｎ）７７０を生成するために用いられる。変換効率劣化情報（ｎ−１）７６０の左欄には画素回路の番号である画素番号、右欄にはその画素回路の変換効率劣化情報（劣化情報）が保持されている。例えば、ここでは、変換効率劣化値を、階調値２００の発光時間（経過時間）に換算した値とする。例えば、画素番号「ｉ」に対応する変換効率劣化情報として「１６０」時間が保持され、画素番号「１」、「２」、「ｍ」に対応する変換効率劣化情報として「１００」時間が保持されている。
【００８２】
このような変換効率劣化情報（ｎ−１）７６０が変換効率劣化情報保持部２１２２に保持されている状態で、変換効率劣化値算出部２１２３は、ｎ回目の変換効率劣化補正パターンを更新する。まず、補正対象となる画素回路に関する変換効率劣化情報を取得し、この画素回路の効率係数を算出し、算出した効率係数を対象変換効率値として変換効率劣化値算出部２１２３に供給する。例えば、画素番号「１」の対象変換効率値が変換効率劣化値算出部２１２３に供給される過程について説明する。まず、変換効率劣化情報更新部２１２１は、変換効率劣化情報（ｎ−１）７６０から画素番号「１」の劣化情報「１００」を取得し、係数変換情報を用いて効率係数を算出する。係数変換情報は、予め保持しているとする。そして、算出した画素番号「１」の画素回路の効率係数と、補正の基準となる基準効率劣化値から、この画素回路の変換効率劣化値を算出し、変換効率劣化補正パターン保持部２３１に供給する。これにより、変換効率劣化補正パターン（ｎ）のｃ１に対応する変換効率劣化値が変換効率劣化補正パターン保持部２３１に保持される。
【００８３】
こうして、補正パターン生成部２１０が生成し、変換効率劣化補正パターン保持部２３１に保持される変換効率劣化補正パターン（ｎ）７７０について説明する。
【００８４】
変換効率劣化補正パターン（ｎ）７７０は、変換効率劣化値算出部２１２３により生成される変換効率劣化補正パターンを模式的に示すものである。図１０の例では、変換効率劣化値算出部２１２３により生成された画素回路ごとの変換効率劣化値を、表示画面を構成する画素の配置に合わせて配置した場合に終える変換効率劣化パターンを模式的に表わしている。具体的には、変換効率劣化補正パターン（ｎ）７７０は、変換効率劣化情報（ｎ−１）７６０に基づいて生成された変換効率劣化値により構成される補正パターンの一例であり、ｎ回目の１分間の間に表示される各フレームに関する映像信号を補正するための補正パターンである。
【００８５】
この変換効率劣化補正パターン（ｎ）７７０における変換効率劣化値ｃ１は、変換効率劣化情報（ｎ−１）７６０において示した画素番号「１」に対応する画素回路を補正するための変換効率劣化値である。また、変換効率劣化値ｃ２，ｃｉ及びｃｍも変換効率劣化値ｃ１と同様に、変換効率劣化情報（ｎ−１）７６０において示した画素番号「２」、「ｉ」及び「ｍ」に対応する画素回路に供給される映像信号を補正するための変換効率劣化値である。補正演算部２２０では、この変換効率劣化補正パターン（ｎ）２３１に基づいて映像信号の階調値を補正する。
【００８６】
例えば、画素番号「ｉ」の画素回路の変換効率劣化値ｃｉは、他の画素番号「１」、「２」及び「ｍ」よりも変換効率劣化値ｃ１，ｃ２及びｃｍよりも大きいとする。この場合、補正演算部２２０は、画素番号「ｉ」に対応する画素回路の映像信号の階調値の補正量（増分）は、他の画素番号「１」、「２」及び「ｍ」の画素回路の映像信号の階調値の補正量（増分）よりも大きくする。このように、階調値を補正することによって、焼き付きを補正することができる。
【００８７】
以上のように、変換効率劣化補正パターンは、実測された画素回路の劣化状態に基づいて算出されるため、焼き付きを精度よく補正することができる。
【００８８】
［輝度劣化情報生成部の動作例］
次に、焼き付き補正部２００の輝度劣化情報生成部２１１の動作について説明する。図１１は、輝度劣化情報生成処理の手順例を示すフローチャートである。
【００８９】
予め決められた所定の周期で、輝度劣化情報生成処理が開始される。画素回路の劣化はゆっくり進行するので、長い周期、例えば、１日あるいは１０日おきといった周期で実行されればよい。
【００９０】
［ステップＳ０１］  輝度測定部２１１１は、測定対象のダミー画素回路に対する輝度測定を開始する。測定する階調値を指示するポインタｋに初期値（＝１）を設定する。
【００９１】
［ステップＳ０２］  輝度測定部２１１１は、ポインタが指示する階調値（ｋ）をダミー画素回路に出力する。なお、階調値（ｋ）に対応する駆動電流は、予め既知であるとする。
【００９２】
［ステップＳ０３］  輝度測定部２１１１は、ステップＳ０２で出力した階調値（ｋ）を出力したダミー画素回路の輝度を測定する。測定した輝度値は、階調値（ｋ）に対応する駆動電流に対応付け、測定情報保持部２１１２に供給する。
【００９３】
［ステップＳ０４］  輝度測定部２１１１は、次の階調値を出力するため、ポインタに１を加える。
【００９４】
［ステップＳ０５］  輝度測定部２１１１は、ポインタをチェックし、全階調値の輝度測定が終了したかどうかを判定する。終了しているときは、処理をステップＳ０６に進める。終了していないときは、ステップＳ０２に処理を進め、次の階調値で輝度測定を行う。
【００９５】
［ステップＳ０６］  輝度測定部２１１１は、輝度測定を開始する前にダミー画素回路に設定されていた元の階調値を出力する。
【００９６】
［ステップＳ０７］  変換効率算出部２１１３は、測定情報保持部２１１２が保持する測定情報に基づいて、駆動電流の変化量に対応する輝度値の変化量（Δ傾き）を算出する。算出したΔ傾きを変換効率値として、変換効率劣化値算出部２１１５へ供給する。
【００９７】
［ステップＳ０８］  変換効率劣化値算出部２１１５は、変換効率算出部２１１３が算出したダミー画素回路の現在の変換効率値と、ダミー画素回路の初期状態の変換効率値と、からダミー画素回路の変換効率の劣化の割合を示す変換効率劣化値を算出する。
【００９８】
［ステップＳ０９］  変換効率劣化値算出部２１１５は、算出した変換効率劣化値を用いて、輝度劣化情報を更新する。
【００９９】
以上の処理手順が実行されることにより、実際の画素回路において測定された劣化度合いに基づく輝度劣化情報を生成することができる。輝度劣化情報は、ダミー画素回路の測定値に基づくため、焼き付き補正の対象の画素回路の正確な輝度劣化情報を得ることができる。また、この輝度劣化情報を用いて焼き付き補正を行えば、精度よく焼き付き補正を行うことができる。
【０１００】
以上説明した表示装置１００は、フラットパネル形状を有し、様々な電子機器、例えば、デジタルカメラ、ノート型パーソナルコンピュータ、携帯電話、ビデオカメラ等、電子機器に入力された、もしくは、電子機器内で生成した映像信号を画像もしくは映像として表示するあらゆる分野の電子機器のディスプレイに適用することが可能である。以下このような表示装置１００が適用された電子機器の例を示す。
【０１０１】
［電子機器への適用例］
図１２は、実施の形態の表示装置を備えたテレビジョンセットを示す斜視図である。図１２に示したテレビジョンセットは、フロントパネル１２、フィルターガラス１３等から構成される映像表示画面１１を含み、表示装置１００をその映像表示画面１１に用いることにより作製される。
【０１０２】
図１３は、実施の形態の表示装置を備えたデジタルスチルカメラを示す斜視図である。図１３は、上段がデジタルスチルカメラの正面図を示し、下段がデジタルスチルカメラの背面図を示す。図１３に示したデジタルスチルカメラは、撮像レンズ、フラッシュ用の発光部１５、表示部１６、コントロールスイッチ、メニュースイッチ、シャッター１９等を含み、実施の形態の表示装置１００をその表示部１６に用いることにより作製される。
【０１０３】
図１４は、実施の形態の表示装置を備えたノート型パーソナルコンピュータを示す斜視図である。図１４に示したノート型パーソナルコンピュータは、本体２０には文字等を入力するとき操作されるキーボード２１を含み、本体カバーには画像を表示する表示部２２を含み、実施の形態の表示装置１００をその表示部２２に用いることにより作製される。
【０１０４】
図１５は、実施の形態の表示装置を備えた携帯端末装置を示す模式図である。図１５では、左側に携帯端末装置が開いた状態を示し、右側に携帯端末装置が閉じた状態を示している。図１５に示した携帯端末装置は、上側筐体２３、下側筐体２４、連結部（ここではヒンジ部）２５、ディスプレイ２６、サブディスプレイ２７、ピクチャーライト２８、カメラ２９等を含み、実施の形態の表示装置１００をそのディスプレイ２６やサブディスプレイ２７に用いることにより作製される。
【０１０５】
図１６は、実施の形態の表示装置を備えたビデオカメラを示す斜視図である。図１６に示したビデオカメラは、本体部３０、前方を向いた側面に被写体撮影用のレンズ３４、撮影時のスタート／ストップスイッチ３５、モニター３６等を含み、実施の形態の表示装置１００をそのモニター３６に用いることにより作製される。
【０１０６】
上記の電子機器によれば、特に、変換効率の劣化成分を高い精度で得ることができるので、焼き付きを精度よく解消することができる。
【０１０７】
なお、上記の処理機能は、コンピュータによって実現することができる。その場合、信号処理装置、表示装置及び電子機器が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【０１０８】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１０９】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１１０】
また、上記の処理機能の少なくとも一部を、ＤＳＰ（Digital Signal Processor）、ＡＳＩＣ、ＰＬＤ（Programmable Logic Device）などの電子回路で実現することもできる。
【符号の説明】
【０１１１】
１００・・・表示装置、  ２００・・・焼き付き補正部、  ２１０・・・補正パターン生成部、  ２１１・・・輝度劣化情報生成部、  ２１２・・・変換効率劣化補正パターン生成部、  ２１３・・・電流劣化補正パターン生成部、  ２２０・・・補正演算部、  ２３０・・・補正パターン保持部、  ２３１・・・変換効率劣化補正パターン保持部、  ２３２・・・電流劣化補正パターン保持部、  ５００・・・画素アレイ部、  ６００〜６０８・・・画素回路、  ６１０・・・書込みトランジスタ、  ６２０・・・駆動トランジスタ、  ６３０・・・保持容量、  ６４０・・・発光素子、  ２１１１・・・輝度測定部、  ２１１２・・・測定情報保持部、  ２１１３・・・変換効率算出部、  ２１１４・・・基準変換効率値供給部、  ２１１５・・・変換効率劣化値算出部、  ２１１６・・・輝度劣化情報保持部
【図１】
2012141333.tif 000003
【図２】
2012141333.tif 000004
【図３】
2012141333.tif 000005
【図４】
2012141333.tif 000006
【図５】
2012141333.tif 000007
【図６】
2012141333.tif 000008
【図７】
2012141333.tif 000009
【図８】
2012141333.tif 000010
【図９】
2012141333.tif 000011
【図１０】
2012141333.tif 000012
【図１１】
2012141333.tif 000013
【図１２】
2012141333.tif 000014
【図１３】
2012141333.tif 000015
【図１４】
2012141333.tif 000016
【図１５】
2012141333.tif 000017
【図１６】
2012141333.tif 000018